(57)【要約】【課題】アンテナの金属による実性能低下を防止した無線携帯端末を提供する。【解決手段】磁気センサ１０９と、スポンジ１０８と、マグネット１０７とが下から順に積層された金属板上検出部１３を有し、無線携帯端末が置かれた金属部材に磁性体が引きつけられることで磁性体と磁性体検出手段との間隔が狭まり、磁気センサ１０９がマグネット１０７の磁気を検出する。【選択図】　　　　図３
2004040408.tif 000002
【特許請求の範囲】
【請求項１】
無線携帯端末が金属部材上に置かれたことを検出する金属部材上検出手段を有することを特徴とする無線携帯端末。
【請求項２】
前記金属部材上検出手段は、
磁性体検出手段と、弾性体と、磁性体とが下から順に積層された構成を取り、前記無線携帯端末が置かれた金属部材に前記磁性体が引きつけられることで前記磁性体と前記磁性体検出手段との間隔が狭まり、前記磁性体検出手段が前記磁性体の磁気を検出することを特徴とする請求項１記載の無線携帯端末。
【請求項３】
前記金属板上検出手段により、無線携帯端末が金属板上に置かれたことを検出すると、その旨を通知する通知手段を有することを特徴とする請求項１または２記載の無線携帯端末。
【請求項４】
前記無線携帯端末の筐体は、
前記筐体を載せた台から該筐体を一定の距離、離間させる脚部材を収納し、
前記金属板上検出手段により、前記無線携帯端末が金属板上に置かれたことを検出すると、収納された脚部材を用いて、前記筐体を該筐体を載せた台から一定の距離、離間させることを特徴とする請求項１から３の何れか一項に記載の無線携帯端末。
【請求項５】
前記無線携帯端末の筐体は、
前記筐体を載せた台から該筐体を一定の距離、離間させる脚部材と、
前記筐体の短手方向の両端部に、短手方向が回転の中心軸となるように前記脚部材を取り付ける継手具と、を有し、
前記金属板上検出手段により前記無線携帯端末が前記金属部材上に置かれたことを検出すると、前記脚部材を回動させ、前記筐体の長手方向の一端部を前記台から一定の距離離間させることを特徴とする請求項１から３の何れか一項に記載の無線携帯端末。
【請求項６】
前記継手具が、前記脚部材を回転させないように固定する脚ロック手段と、
前記脚ロック手段による固定を解除するロック解除手段と、を有し、
前記金属板上検出手段により無線携帯端末が金属板上に置かれたことを検出すると、前記ロック解除手段が前記脚ロック手段のロックを解除することを特徴とする請求項５記載の無線携帯端末。
【発明の詳細な説明】
【０００１】
【発明の属する技術分野】
本発明は、アンテナの実性能の低下を防止した無線携帯端末に関する。
【０００２】
【従来の技術】
従来から、アンテナによって電波の送受信を行う無線携帯端末では、周囲の環境によりアンテナの実性能が変化するという問題がある。特に、人体の存在や金属物の存在等によってアンテナの実性能が劣化する。電波環境が悪い場所では回線が接続されない恐れが生じる場合がある。
【０００３】
そこで、特開２００１−８６２０８号公報、及び特開平４−１２７７２３号公報には、通話時のアンテナのポジションをできるだけ人体から遠くなるように配置した無線携帯端末が提案されている。
【０００４】
【発明が解決しようとする課題】
しかしながら、周囲のごく近いところに金属物が存在する場所、例えば金属製の机やテーブルに無線携帯端末が置かれた場合、アンテナの実性能低下により、待ち受け時に十分な機能を果たせず、着信ができないなどの問題が発生する。
【０００５】
本発明は上記事情に鑑みてなされたものであり、アンテナの金属による実性能低下を防止した無線携帯端末を提供することを目的とする。
【０００６】
【課題を解決するための手段】
係る目的を達成するために請求項１記載の発明は、無線携帯端末が金属部材上に置かれたことを検出する金属部材上検出手段を有することを特徴とする。
【０００７】
請求項２記載の発明は、請求項１記載の発明において、金属部材上検出手段は、磁性体検出手段と、弾性体と、磁性体とが下から順に積層された構成を取り、無線携帯端末が置かれた金属部材に磁性体が引きつけられることで磁性体と磁性体検出手段との間隔が狭まり、磁性体検出手段が磁性体の磁気を検出することを特徴とする。
【０００８】
請求項３記載の発明は、請求項１または２記載の発明において、金属板上検出手段により、無線携帯端末が金属板上に置かれたことを検出すると、その旨を通知する通知手段を有することを特徴とする。
【０００９】
請求項４記載の発明は、請求項１から３の何れか一項に記載の発明において、無線携帯端末の筐体は、筐体を載せた台から該筐体を一定の距離、離間させる脚部材を収納し、金属板上検出手段により、無線携帯端末が金属板上に置かれたことを検出すると、収納された脚部材を用いて、筐体を該筐体を載せた台から一定の距離、離間させることを特徴とする。
【００１０】
請求項５記載の発明は、請求項１から３の何れか一項に記載の発明において、無線携帯端末の筐体は、筐体を載せた台から該筐体を一定の距離、離間させる脚部材と、筐体の短手方向の両端部に、短手方向が回転の中心軸となるように脚部材を取り付ける継手具と、を有し、金属板上検出手段により無線携帯端末が金属部材上に置かれたことを検出すると、脚部材を回動させ、筐体の長手方向の一端部を台から一定の距離離間させることを特徴とする。
【００１１】
請求項６記載の発明は、請求項５記載の発明において、継手具が、脚部材を回転させないように固定する脚ロック手段と、脚ロック手段による固定を解除するロック解除手段と、を有し、金属板上検出手段により無線携帯端末が金属板上に置かれたことを検出すると、ロック解除手段が脚ロック手段のロックを解除することを特徴とする。
【００１２】
【発明の実施の形態】
次に、添付図面を参照しながら本発明の無線携帯端末に係る実施の形態を詳細に説明する。図１〜図７を参照すると本発明の無線携帯端末に係る実施の形態が示されている。
【００１３】
本発明に係る第１の実施形態の構成を図１を参照しながら説明する。図１に示されるように第１の実施形態は、無線携帯端末１、アンテナ６、ＲＦ処理部７、ベースバンド処理部９、端末制御部８、スピーカ２、マイク５、キーボード４、表示部３、バッテリ１０、メモリ１１、ブザー１２、金属板上検出部１３を具備する。
【００１４】
ＲＦ処理部７は、受信信号をＲＦ処理し、復調して受信ベースバンド信号に変換する。また、送信用ベースバンド信号を変調して送信信号に変換し送信する。ベースバンド処理部９は、前記受信ベースバンド信号から受信データを取り出し、前記受信データより音声信号を生成してスピーカ２にて音声を再生する。また、ベースバンド処理部９は、マイク５から入力された音声から、前記送信用ベースバンド信号を生成する。端末制御部８は、前記一連の送受信処理を含む無線携帯端末全体の制御を行っている。メモリ１１は、無線携帯端末の動作、制御に必要なシステム、プログラム、データを記録している。そして、金属板上検出部１３において、前記無線携帯端末が金属板上に置かれていることを検出すると、端末制御部８は、ブザー１２を鳴らす。
【００１５】
図２には、無線携帯端末１の外観形状が示されている。図２を参照すると、無線携帯端末１は、ヒンジ部１０４を介して上部装置と下部装置が接続され、折り畳める構造になっている。アンテナ６は、下部装置に実装される。上部装置は、上側筐体１０１、表示部４、図示しない上側基板、前記上側基板に実装される電気部品から構成される。また、下部装置は、下側筐体１０２、アンテナ６、キーボード３、マイク５、ブザー１２、及び図示されない下側装置の内部に存在する構成要素、から構成される。下側基板１０５は、下側装置の内部に実装されている。ＲＦ処理部７、ベースバンド処理部９、端末制御部８、メモリ１１は、前記上側基板、もしくは前記下側基板１０５上に実装される。
【００１６】
図３を参照しながら下側装置の内部構成を説明する。図３を参照すると、下側装置内部に、前記下側基板１０５、アンテナ金具１０６、金属板上検出部１３、前記下側基板１０５上に実装される電気部品、図示されないバッテリ１０が実装され、前記金属板上検出部１３は、前記下側基板１０５上に実装される。金属板上検出部１３は、マグネット１０７、スポンジ１０８、磁気センサ１０９から構成される。下側基板１０５に磁気センサ１０９が実装され、スポンジ１０８は、磁気センサ１０９の上部に貼り付けられている。マグネット１０７は、スポンジ１０８の上部に貼り付けられ、マグネット１０７に働く力により、スポンジ１０８は容易に変形可能になっている。
【００１７】
上記構成からなる本実施形態は、金属板、特に磁性体である金属上に無線携帯端末が置かれたことを検出し、アンテナの実性能低下により待ち受け時にアンテナが充分な機能を果たせず、着信できない等の不具合を防止することを目的としている。
【００１８】
このため、本実施形態の無線携帯端末は、図３に示されるように、磁気センサ１０９と、スポンジ１０８と、マグネット１０７とが下から順に積層された金属板上検出部１３を、下側基板１０５上に設けたことを特徴としている。
【００１９】
無線携帯端末が磁性体である金属板上に置かれると、この金属板にマグネット１０７が引きつけられ、マグネット１０７と磁気センサ１０９との間隔が狭まる。これによって、マグネット１０７の磁気を磁気センサ１０９が検出し、無線携帯端末の利用者に通知することで、着信できない等の不具合を防止することができる。
【００２０】
次に、図４に示されたフローチャートを参照しながら金属板上検出部１３の動作を説明する。
周辺に金属物のない通常の状態では、スポンジ１０８が間に入ることにより、マグネット１０７の磁気を、磁気センサ１０９が感知しない距離に保たれている。そして、金属板上に無線携帯端末１が置かれると（ステップＳ４１）、前記通常の状態から、金属板にマグネット１０７が引きつけられ、図３においてマグネット１０７に下向きの力が生じる（ステップＳ４２）。前記下向きの力によってスポンジ１０８が変形し（ステップＳ４３）、マグネット１０７と磁気センサ１０９の間隔が狭まる（ステップＳ４４）。前記間隔が狭まったことによって、磁気センサ１０９の感知距離にマグネット１０７が入る（ステップＳ４５）。これにより、磁気センサ１０９がマグネット１０７の磁気を感知し、オンとなる（ステップＳ４６）。磁気センサ１０９がオンになると、端末制御部８は、ブザー１２を鳴らす（ステップＳ４７）。
【００２１】
このように本実施形態は、周囲のごく近いところに金属物が存在する場所、例えば金属製の机やテーブルに無線携帯端末が置かれた場合などに、周囲の金属物が存在することを検出する手段を有し、これにより前記検出結果に応じてアラームを発する手段を有しているので、金属物の影響によるアンテナの実性能の低下状態を継続してしまうことを避けることが可能となる。
【００２２】
次に、添付図面を参照しながら本発明に係る第２の実施形態について説明する。図５には、第２の実施形態の構成が示されている。図５に示されるように本実施形態は、上述した第１の実施形態の構成に加え、ロック機構解除部１４、脚回転ロック機構１５、脚回転部１６、高さ調整脚１７を具備する。
【００２３】
図５において、高さ調整脚１７は、前記無線携帯端末が金属板上に置かれていることを検出したときに、前記下部装置から出現し、アンテナ６と金属板との距離を取る。脚回転部１６は、周辺に金属物のない通常の状態では、前記下部装置に収納されている高さ調整脚１７を、回転により出現させる。脚回転ロック機構１５は、前記脚回転部１６が高さ調整脚１７を回転させないように固定している。ロック機構解除部１４は、前記脚回転ロック機構１５による前記固定を解除するために働く。
【００２４】
図６に第２の実施形態の外観を示す。図６には、折り畳み時において、側面からの様子と上側面からの様子を、周辺に金属物のない通常の状態と金属板上検出時の状態を対比させ、示している。図２に示された第１の実施形態との差異は、脚回転部１６、高さ調整脚１７が外観上見られる点である。
【００２５】
図６において、（Ａ）、（Ｂ）は、周辺に金属物のない通常の状態で、高さ調整脚１７が前記下部装置に納められている様子、（Ｃ）、（Ｄ）は、前記無線携帯端末が金属板上に置かれていることを検出し、高さ調整脚１７が前記下部装置から出現し、アンテナ６と金属板との距離が確保されている様子を示している。
【００２６】
次に、図７に示されたフローチャートを参照しながら金属板からの高さ調整処理の手順を説明する。
周辺に金属物のない通常の状態での、マグネット１０７、スポンジ１０８、磁気センサ１０９の位置、距離の関係は、第１の実施例と同一である。また、ステップＳ７１からステップＳ７６までの金属板上検出処理のプロセスも、第１の実施例と同一である。ステップＳ７６で、磁気センサ１０９がマグネット１０７の磁気を感知し、オンとなると、端末制御部８は、ロック機構解除部１４に、ロック解除命令を出す。ロック機構解除部１４は、前記ロック解除命令を受け取ると、脚回転ロック機構１５へ脚回転部１６のロックを解除させる信号を出力する。脚回転ロック機構１５は、前記解除信号が入力されると、脚回転部１６の固定を解除する（ステップＳ７２）。これにより脚回転部１６は、高さ調整脚１７を回転させる（ステップＳ７３）。前記脚回転部１６の回転により、前記下部装置に収納されている高さ調整脚１７が、出現する（ステップＳ７４）。これにより、アンテナ６と金属板との距離が確保される（ステップＳ７５）。
【００２７】
このように本実施形態は、無線携帯端末の周囲のごく近いところに金属物が存在する場合に、金属物が周囲に存在することを検出する手段を有し、前記検出結果に応じてアンテナを金属板から遠ざけるように金属板との距離を取る手段を有しているので、金属物の影響によるアンテナの実性能の低下状態から自発的に抜けることが可能である。
【００２８】
なお、上述した実施形態は本発明の好適な実施の形態である。但し、これに限定されるものではなく、本発明の要旨を逸脱しない範囲内において種々変形実施可能である。
【００２９】
【発明の効果】
以上の説明より明らかなように本発明は、金属部材が存在する場所、例えば金属製の机やテーブルに無線携帯端末が置かれた場合に、周囲の金属物が存在することを検出する手段を有し、この検出結果に応じてアラームを発する手段を有しているので、金属物の影響によるアンテナの実性能の低下状態を継続してしまうことを避けることが可能となる。
【００３０】
また、無線携帯端末が金属部材上に置かれた時に、金属物が周囲に存在することを検出する手段を有し、前記検出結果に応じてアンテナを金属部材から遠ざけるように金属部材との距離を取る手段を有しているので、金属の影響によるアンテナの実性能の低下状態から自発的に抜けることが可能である。
【図面の簡単な説明】
【図１】本発明に係る第１の実施形態の構成を示す図である。
【図２】第１の実施形態の外観を示す図である。
【図３】下側装置の内部構成を示す図である。
【図４】金属板上検出部の動作手順を示すフローチャートである。
【図５】本発明に係る第２の実施形態の構成を示す図である。
【図６】本発明に係る第２の実施形態の外観を示す図である。
【図７】第２の実施形態の高さ調整処理の手順を示すフローチャートである。
【符号の説明】
１　無線携帯端末
２　スピーカ
３　表示部
４　キーボード
５　マイク
６　アンテナ
７　ＲＦ処理部
８　端末制御部
９　ベースバンド処理部
１０　バッテリ
１１　メモリ
１２　ブザー
１３　金属板上検出部
１４　ロック機構解除部
１５　脚回転ロック機構
１６　脚回転部
１７　高さ調整脚
１０１　上側筐体
１０２　下側筐体
１０４　ヒンジ部
１０５　下側基板
１０６　アンテナ金具
１０７　マグネット
１０８　スポンジ
１０９　磁気センサ
２００　金属板
【図１】
2004040408.tif 000003
【図２】
2004040408.tif 000004
【図３】
2004040408.tif 000005
【図４】
2004040408.tif 000006
【図５】
2004040408.tif 000007
【図６】
2004040408.tif 000008
【図７】
2004040408.tif 000009